(57)【要約】【課題】看板による広告媒体とテレビ受像機による広告媒体とをコンパクトにジョイントし、商品等の展示品の間近に設置することによってより大きな広告効果を得るとともに販売対象商品の管理に必要な日常業務における商品毎の販売状況など商品情報の記録や集計を効率的且つ迅速に行うことができるようにする。【解決手段】映像信号又は映像・音声信号に基づき商品情報等広告表示動作する静止画像用又はテレビ画像用の電子画像表示装置４を備えた価格等電子表示装置Ａであって、接触方式又は非接触方式のうちいずれか一方若しくは両方の方式により前記商品情報等広告表示される商品に関する商品情報データをデータ記録媒体やデータ処理媒体を用いて入出力するデータ入出力手段３０を備える。【選択図】図１
2009053693.tif 000002
【特許請求の範囲】
【請求項１】
映像信号又は映像・音声信号に基づき商品情報等広告表示動作する静止画像用又はテレビ画像用の電子画像表示装置を備えた価格等電子表示装置であって、
前記価格等電子表示装置は映像・音声出力変換部が内蔵又は接続されてなり、
前記価格等電子表示装置は、データ入出力手段を備えてなり、
前記データ入出力手段は、カード状のデータ記録媒体を装填可能な入出力端子部を備え、前記商品情報等広告表示される商品に関する商品情報データを入出力することを特徴とする価格等電子表示装置。
【請求項２】
映像信号又は映像・音声信号に基づき商品情報等広告表示動作する静止画像用又はテレビ画像用の電子画像表示装置を備えた価格等電子表示装置であって、
前記価格等電子表示装置は映像・音声出力変換部が内蔵又は接続されてなり、
前記価格等電子表示装置は、データ入出力手段を備えてなり、
前記データ入出力手段は、ＵＳＢ、ＩＤＥまたはＩＳＣＳＩのいずれかから選ばれるインターフェースからなり、前記商品情報等広告表示される商品に関する商品情報データを入出力することを特徴とする価格等電子表示装置。
【請求項３】
請求項１又は請求項２記載の価格等電子表示装置における前記小型電子画像表示装置が、該装置前面の画像表示パネルと対向する部位に窓孔部を孔設し且つ適宜広告表示を施した表示プレート１を該装置前面に備えることを特徴とする価格等電子表示装置。
【請求項４】
請求項１又は請求項２記載の価格等電子表示装置における前記小型電子画像表示装置が、該装置前面の画像表示パネルと対向する部位に窓孔部を孔設し且つ適宜広告表示を施した表示ケース内に固定状態で内装されていることを特徴とする価格等電子表示装置。
【請求項５】
請求項１乃至請求項４記載の価格等電子表示装置における前記小型電子画像表示装置が、データメモリーを備えることを特徴とする価格等電子表示装置。
【請求項６】
前記データメモリーが、バッファメモリーであることを特徴とする請求項５記載の価格等電子表示装置。
【発明の詳細な説明】
【技術分野】
【０００１】
本発明は、店頭等において商品名、商品価格、商品製造者、商品販売者名などの商品情報や広告表示を行なう価格等電子表示装置に関する。
【背景技術】
【０００２】
一般に、店頭等において、商品情報の表示や広告表示を行なう広告媒体としては、看板やフラッグ、新規な動作をする可動ディスプレイ等がアイキャッチディスプレイとして広く利用されている。
【０００３】
また最近では、例えばテレビ受像機を１台若しくは数台配列してテレビ画像により商品の印象付けや、広告、インフォメーション等を行なう例が増えている。
【０００４】
【特許文献１】特開平０７−１３４５５５号公報
【発明の開示】
【発明が解決しようとする課題】
【０００５】
しかし、通常のテレビ画像による広告では、テレビ受像機を数台設置するための専用スペースが必要であり、また、看板、フラッグ等とテレビ受像機とを併用して広告効果を上げようとする場合は、それぞれ広告形態が異なるため、それら媒体の設定や配置等に手間や労力を要し、また総体的な広告形態が煩雑になる傾向があった。
【０００６】
本発明の課題は、看板による広告媒体と、テレビ受像機による広告媒体とをコンパクトにジョイントし、商品等の展示品の間近に設置することによって、より大きな広告効果を得るとともに、販売対象商品の管理に必要な日常業務における商品毎の販売状況など商品情報の記録や集計を効率的且つ迅速に行うことができるようにすることにある。
【課題を解決するための手段】
【０００７】
本発明の請求項１に係る発明は、映像信号又は映像・音声信号に基づき商品情報等広告表示動作する静止画像用又はテレビ画像用の電子画像表示装置を備えた価格等電子表示装置であって、前記価格等電子表示装置は映像・音声出力変換部が内蔵又は接続されてなり、前記価格等電子表示装置は、データ入出力手段を備えてなり、前記データ入出力手段は、カード状のデータ記録媒体を装填可能な入出力端子部を備え、前記商品情報等広告表示される商品に関する商品情報データを入出力することを特徴とする価格等電子表示装置である。
【０００８】
本発明の請求項２に係る発明は、映像信号又は映像・音声信号に基づき商品情報等広告表示動作する静止画像用又はテレビ画像用の電子画像表示装置を備えた価格等電子表示装置であって、前記価格等電子表示装置は映像・音声出力変換部が内蔵又は接続されてなり、前記価格等電子表示装置は、データ入出力手段を備えてなり、前記データ入出力手段は、ＵＳＢ、ＩＤＥまたはＩＳＣＳＩのいずれかから選ばれるインターフェースからなり、前記商品情報等広告表示される商品に関する商品情報データを入出力することを特徴とする価格等電子表示装置である。
【０００９】
本発明の請求項３に係る発明は、請求項１又は請求項２記載の価格等電子表示装置における前記小型電子画像表示装置が、該装置前面の画像表示パネルと対向する部位に窓孔部を孔設し且つ適宜広告表示を施した表示プレート１を該装置前面に備えることを特徴とする価格等電子表示装置である。
【００１０】
本発明の請求項４に係る発明は、請求項１又は請求項２記載の価格等電子表示装置における前記小型電子画像表示装置が、該装置前面の画像表示パネルと対向する部位に窓孔部を孔設し且つ適宜広告表示を施した表示ケース内に固定状態で内装されていることを特徴とする価格等電子表示装置である。
【００１１】
本発明の請求項５に係る発明は、請求項１乃至請求項４記載の価格等電子表示装置における前記小型電子画像表示装置が、データメモリーを備えることを特徴とする価格等電子表示装置である。
【００１２】
本発明の請求項６に係る発明は、前記データメモリーが、バッファメモリーであることを特徴とする請求項５記載の価格等電子表示装置である。
【発明の効果】
【００１３】
本発明の価格等電子表示装置は、個々の商品（又は商品群）の価格やその商品に関する情報等を画像や音声として広告表示動作させることができるもので、店舗内外での商品の電子表示方式の値札として、また商品の広告媒体として機能させることができ、従来のシート状の値札や広告表示板のような手作業による入れ換え作業、貼り換え作業、設営作業などを省力化できるとともに、広告表示媒体としてきわめて効果的である。
【００１４】
また、本発明の価格等電子表示装置は、データ入出力手段を介して周辺機器との間で個々の商品（又は商品群）に関する商品情報データを入出力することができるもので、価格等電子表示装置により電子表示される情報データを周辺機器から個々の当該価格等電子表示装置に対して容易に入力することが可能となるとともに、価格等電子表示装置が保持している商品情報データを周辺機器側に出力して、その出力された商品情報データを商品販売管理用の電子データや集計用の電子データとしても利用できるようになるなどの効果がある。
【００１５】
また、本発明の価格等電子表示装置は、広告表示プレートや広告表示ケース等の表面に表示された広告表示と、小型液晶テレビやプラズマディスプレイ等の小型電子画像表示装置による広告表示とを併用することによって、広告効果を上げることが期待でき、それぞれ広告形態の異なる広告媒体をコンパクトに組み合わせて広告媒体の設定や配置等の手間や労力を逓減化でき、また総体的な広告形態を煩雑にせずにまとまりのある形態にすることができ、看板や表示プレート等による広告表示と、電子画像による動きのある画像による広告表示とをコンパクトにジョイントすることによってより大きな広告効果が得られるものである。
【発明を実施するための最良の形態】
【００１６】
本発明の価格等電子表示装置を、図１（ａ）〜（ｂ）に示す実施の形態に従って以下に詳細に説明する。
【００１７】
本発明の価格等電子表示装置Ａは、有線送信又は無線送信による映像信号又は映像・音声信号に基づき商品情報等広告表示動作する静止画像用又はテレビ画像用の電子画像表示装置４を備え、該電子画像表示装置４は、その前面の画像表示パネル３と、映像・音声出力変換部６（受信した映像信号・音声信号を画像表示パネル３及びスピーカーにて可視画像と音声に変換するための出力動作信号に出力変換する変換部）と、その映像・音声出力変換部６に接続されたデータ入出力手段３０を備えている。
【００１８】
また、映像・音声出力変換部６又は／及びデータ入出力手段３０内には、必要に応じてデータメモリー手段（例えば、ＲＡＭ、ＲＯＭなどのレジスタメモリー又はバッファメモリー若しくはフラッシュメモリーなど）を搭載している。
【００１９】
上記価格等電子表示装置Ａは、例えば図１（ａ）〜（ｂ）に図示するように、静止画像用又はテレビ画像用の小型電子画像表示装置４（通称；液晶テレビ等）と、該装置４前面に取付けられた紙製、プラスチック製、アルミニウム、ステンレス等金属製の表示プレート１により構成される。また、前記装置４背面側には必要に応じて、ネジ、他の取付具、マグネットなどにより固定できる取付固定部７を備えている。
【００２０】
表示プレート１は窓孔部２を備え、表示プレート１を前面に被覆した前記小型電子画像表示装置４の画像表示パネル３（画像表示画面）は窓孔部２を透して観察される。なお、窓孔部２のサイズは画像表示パネル３のサイズに対応して設定される。
【００２１】
該表示プレート１と小型電子画像表示装置４前面とは、画像表示パネル３領域以外の部分で感圧接着剤、感熱接着剤等の接着剤により取付固定されるか、又は該表示プレート１の対向両端部を互いに対向するようにコの字型に折り曲げて画像表示装置４両側から挟み付けて嵌合し、接着剤又は適宜螺子止めにて取付固定されるが、取付固定の形式は特に限定されない。
【００２２】
前記表示プレート１の少なくとも前面（表面）には、適宜広告内容（キャッチフレーズ、独特の字体やデザインを表すロゴ、商品名、製造・販売会社名、価格等）を表示するための文字、絵柄、写真画、彩色模様等の広告表示５が印刷又は写真等によって表示されている。
【００２３】
なお、表示プレート１前面に、透明なプラスチック板によるシートケース５ａを設け、該シートケース５ａ内に広告表示５を施したシート等を挿入できるようにすることによって、広告表示５部分を表示プレート１に対して取付け取外し自在にしてもよい。また、前記表示プレート１と別体の紙製、プラスチック製、アルミニウム等の金属製の板材に、印刷若しくは写真等によって表示５を施し、該板材を表示プレート１の前面に螺子、接着剤等によって取付固定するようにしてもよい。
【００２４】
上記価格等電子表示装置Ａの表示プレート１のサイズや形状は、特に限定されないが、サイズは小型電子画像表示装置４の前面より上下左右のいずれか側方に張り出していることが表示効果の上で適当であり、例えば画面サイズが２．５インチ（対角線長さ；約６４ｍｍ）〜４インチ（対角線長さ；約１００ｍｍ）程度の小型の画像表示パネル３であれば、８０ｍｍ×１７０ｍｍ〜１００ｍｍ×２００ｍｍ程度のサイズであり、上記価格等電子表示装置Ａを、展示台やショーケースに配置する場合には、２．５インチ程度が適当であるが、画像表示パネル３の画面サイズや、展示効果やスペース等を考慮して適宜設定でき、また形状は三角形、正方形、長方形等の四角形、その他多角形、円形、楕円形等の適宜形状でよいが、長方形又は正方形状が適当である。
【００２５】
上記小型電子画像表示装置４は、図１（ａ）〜（ｂ）に示すように、前面の画像表示パネル３と、映像・音声出力変換部６（受信した映像信号・音声信号を画像表示パネル３及びスピーカーにて可視画像と音声に変換するための出力動作信号に出力変換する変換部）とを備える。
【００２６】
前記映像・音声出力変換部６には、図１（ａ）〜（ｂ）に示すように、前記画像表示パネル３により出力表示される商品情報等広告表示される商品に関する商品情報データを入出力したり、その種の商品情報データを出力できるデータ入出力手段３０を備える。
【００２７】
前記データ入出力手段３０は、予め設定された所定のプロトコルに従って、周辺のデータ記録媒体やデータ処理媒体との間で商品情報データなど信号データの入出力を行うことができるようになっており、データ入出力手段３０と周辺のデータ記録媒体やデータ処理媒体とは、互いに商品情報データを入出力できるようになっている。
【００２８】
前記データ入出力手段３０と周辺のデータ記録媒体やデータ処理媒体とのデータの入出力は、接触方式又は非接触方式のいずれか一方若しくはその両方の接続方式が使用される。
【００２９】
本発明において使用する小型電子画像表示装置４の前記映像・音声出力変換部６は、図１（ａ）〜（ｂ）に示すように画像表示パネル３と一体的にその裏面側に接続配置されたユニットタイプが適当であるが、別体として離間した部位に映像・音声出力変換部６が配線設置されたコンポーネントタイプ（図示せず）であってもよい。
【００３０】
上記映像・音声出力変換部６は、一般的なテレビ受像機、音声受信機におけると同様に、映像・音声信号入力部、映像信号を可視画像に変換するための映像信号増幅変換回路、色信号復調回路、画像表示パネル３のＸ−Ｙ走査電極及び信号電極の駆動信号を発生させる画像走査マトリクス回路及び音声を必要とする場合は、音声信号をスピーカー（図示せず）を介して音声に変換する音声増幅回路等を備え、映像・音声出力変換信号を画像表示パネル３側に出力して、該パネル３のマトリクスパターン状のＸ−Ｙ画素を駆動走査して、静止画像（文字画像、線画画像）又はテレビジョン画像（文字画像、線画画像、撮影画像等）を画像表示パネル３にて可視出力するものである。なお音声出力用のスピーカーは、価格等電子表示装置Ａ本体と一体に、画像表示パネル３側方（表示プレート１内面側又は前面側の適宜部位）に、電子画像表示装置４と一体若しくは別体で近設するか又は価格等電子表示装置Ａ本体と別体で、該表示体Ａの近くに設置することができる。
【００３１】
前記画像表示パネル３は、照明光型（面光源バックライト照明式、室内光照明式等）のパッシブディスプレイ、又は自発光型のアクティブディスプレイのいずれであってもよく、通常は照明光式の液晶画像表示装置が適当であるが、場合によってはＣＲＴやプラズマディスプレイ等のアクティブディスプレイ類を使用することも可能である。
【００３２】
上記画像表示パネル３又は該画像表示パネル３及び映像・音声出力変換部は、１００Ｖ（ＡＣアダプタ付）電源を使用するようにしてもよいが、電池、蓄電池等の電源（図示せず）によって駆動させるようにしてもよい。
【００３３】
本発明の価格等電子表示装置Ａにおいては、図１（ａ）に示すように、電子画像表示装置４の映像・音声出力変換部６に、受信アンテナ６ａを設け、適宜信号供給源（例えば、店内のオペレーティングセンター等）より無線送信電波として発信した映像信号を、又は映像信号と音声信号とを、前記受信アンテナ６ａによって前記映像・音声出力変換部６に受信入力して、画像表示パネル３より画像・音声を出力表示させるようにしてもよい。
【００３４】
また、本発明の価格等電子表示装置Ａにおいては、電子画像表示装置４の映像・音声出力変換部６に、画像記録媒体再生部Ｄ（ビデオデッキ、レーザーディスクプレーヤー、ＣＤプレーヤー、フロッピー（登録商標）ディスクドライブユニット等）を配線接続することによって、該再生部Ｄから有線送信による信号として発信した映像信号、又は映像信号と音声信号によって画像表示パネル３より画像・音声を出力表示させるようにしてもよい。
【００３５】
上記本発明の価格等電子表示装置Ａは、電子画像表示装置４に内蔵又は接続された映像・音声出力変換部６に対してデータを入出力するインターフェース（例えば、ＵＳＢ、ＩＤＥ、ＩＳＣＳＩ）としてのデータ入出力手段３０を備える。
【００３６】
前記データ入出力手段３０は、映像・音声出力変換部６から出力される値札等広告表示に関する前記映像信号や音声信号に関する情報データを、データ記録媒体（例えば、ＩＣカードなどを始めとする各種カード状記録媒体、ディスク状記録媒体、テープ状記録媒体など）や、パソコンやデータ処理用周辺機器などデータ処理媒体に出力したり、又はこれらデータ記録媒体やデータ処理媒体から値札等広告表示に関する映像信号や音声信号に関する情報データを前記映像・音声出力変換部６に入力するためのインターフェースである。
【００３７】
前記データ入出力手段３０は、これらデータ記録媒体やデータ処理媒体に対して接触方式又は非接触方式のうちいずれか一方若しくは両方の方式により対応できるようになっている。
【００３８】
そして、前記データ入出力手段３０は、価格等電子表示装置Ａの電子画像表示装置４により可視出力表示される商品情報等広告表示された商品に関する商品情報のうち必要な情報を（必要に応じて選択して）、データとして映像・音声出力変換部６からデータ記録媒体やデータ処理媒体に出力でき、また、価格等電子表示装置Ａの電子画像表示装置４により可視出力表示したい商品情報を、データ記録媒体やデータ処理媒体から映像・音声出力変換部６にデータとして入力することができるようになっている。
【００３９】
図１（ａ）の斜視図及び図１（ｂ）の側面図に示すように、例えば前記データ入出力手段３０は、その側方若しくは上方に、周辺のデータ記録媒体としてのカード状のデータ記録媒体を装填可能な入出力端子部３１を備え、該入出力端子部３１とデータ記録媒体側の接続端子部とは、接触方式又は非接触方式のいずれか一方、若しくはその両方の接続方式にて接続可能となっていて、データ入出力手段３０からカード状のデータ記録媒体側に、またカード状のデータ記録媒体からデータ入出力手段３０側に、所定の商品情報データを出力することができるものである。
【００４０】
また前記データ入出力手段３０の入出力端子部３１は、周辺のデータ処理媒体（ディスク状、テープ状のデータ記録媒体を備える）としてのオフィスコンピュータやパーソナルコンピュータとデータの入出力を行うための入出力端子部であってもよい。
【００４１】
上記価格等電子表示装置Ａは、図１（ｂ）に示すにように、背面側に取付固定部７を備え、該取付固定部７の構造、形状は、特に限定されるものではなく、例えば一例として略逆Ｕ字型を呈し、価格等電子表示装置Ａの背面に接続固定する縦前板７ａと、水平板７ｂと、縦後板７ｃとにより構成される。
【００４２】
次に本発明における値札等広告表示の他の実施の形態を、図２（ａ）〜（ｂ）に従って以下に詳細に説明すれば、価格等電子表示装置Ａは紙製、プラスチック製、アルミニウム、ステンレス等の金属製のボックス型又は筒型の表示ケース１１を備え、該表示ケース１１は、前板１１ａと、左右側板１１ｂ，１１ｂ（筒型の場合は側面なし）と、上板１１ｃと、下板（底面）１１ｄと、背板１１ｅとにより形成されている。
【００４３】
表示ケース１１の前板１１ａには窓孔部２を備え、該表示ケース１１内には、静止画像用又はテレビジョン画像用の電子画像表示装置４が装填され、表示ケース１１の前板１１ａの窓孔部２に対向するように電子画像表示装置４前面の画像表示パネル３が該表示ケース１１内に取付固定されている。なお、窓孔部２のサイズは画像表示パネル３のサイズに対応して設定される。
【００４４】
前記表示ケース１１の少なくとも前板１１ａ（表面）、又は前板１１ａ、側板１１ｂ、上板１１ｃ、下板１１ｄ等に、適宜広告内容（キャッチフレーズ、独特の字体やデザインを表すロゴ、商品名、製造・販売会社名、価格等）（商品名、メーカー名、キャッチフレーズ、ロゴ、価格等）を表示するための文字、絵柄、写真画、彩色模様等の表示５が直接に又は透明なシートケース５ａ等に装填されて印刷又は写真等によって表示されている。また、前記表示ケース１１と別体の紙製、プラスチック製、アルミニウム等の金属製の板材に、印刷若しくは写真等によって表示５を施し、該板材を表示ケース１１に螺子、接着剤等によって取付固定するようにしてもよい。
【００４５】
上記価格等電子表示装置Ａの表示ケース１１のサイズや形状は、特に限定されないが、電子画像表示装置４が装填できる程度のサイズが必要であり、またケース前面のサイズは、例えば、画面サイズが２．５インチ（対角線長さ；約６４ｍｍ）〜４インチ（対角線長さ；約１００ｍｍ）程度の小型の画像表示パネル３であれば、８０ｍｍ×１７０ｍｍ〜１００ｍｍ×２００ｍｍ程度のサイズであり、上記価格等電子表示装置Ａを、展示台やショーケースに配置する場合には、２．５インチ程度が適当であるが、画像表示パネル３の画面サイズや、展示効果やスペース等を考慮して適宜設定できる。
【００４６】
上記価格等電子表示装置Ａの表示ケース１１の形状は特に限定されず、例えば立方体形状、直方体形状、偏平直方体形状等の平面的外観が、図２に示すような四角形状が適当であるが、三角柱形状、偏平な三角形状、円形状、楕円形状等の適宜形状であってもよい。
【００４７】
上記他の実施の形態において使用する小型電子画像表示装置４の前記映像・音声出力変換部６も、図２（ａ）〜（ｂ）に示すように画像表示パネル３と一体的にその裏面側に接続配置されたユニットタイプが適当であるが、図示しないが別体として離間した部位に映像・音声出力変換部６が配線設置されたコンポーネントタイプであってもよい。
【００４８】
なお、上記他の実施の形態の電子画像表示装置４の画像表示パネル３及び映像・音声変換部６の形態及び動作は、前述した実施の形態と同様である。
【００４９】
上記他の実施の形態の価格等電子表示装置Ａは、図２（ｂ）に示すにように、背面側に取付固定部７を備え、該取付固定部７の構造、形状は、特に限定されるものではなく、例えば、一例として略逆Ｕ字型を呈し、価格等電子表示装置Ａの背面に接続固定する縦前板７ａと、水平板７ｂと、縦後板７ｃとにより構成される。
【００５０】
本発明における価格等電子表示装置Ａに設置される小型電子画像表示装置４及び画像表示パネル３は、モノクロ画像表示又はカラー画像表示のいずれでもよいが、表示効率の点からカラー画像表示が適当である。また、二次元画像（通常撮影画像、線画像、合成画像、コンピュータグラフィック画像等を含む）、又は三次元画像（ステレオ画像）表示のいずれでもよい。
【００５１】
なお三次元画像表示の場合は、左右視差をもった立体画素形成用チューナを小型電子画像表示装置４に搭載し、立体画素形成用の映像信号に基づいて小型電子画像表示装置４を動作させ、また画像表示パネル３としては、前面にレンチキュラーレンズシート（セミシリンドリカルレンズシート）を配置した画像表示パネル３を使用するものである。また音声信号についても、スピーカーを２台設置してステレオ音声とすることは可能である。
【００５２】
本発明の上記価格等電子表示装置Ａは、図１（ａ）〜（ｂ）又は図２（ａ）〜（ｂ）に示すように、例えば、店舗内外の商品展示台Ｂなどに取り付けて使用することができる。
【００５３】
商品展示具Ｂは、図１（ａ）〜（ｂ）に示すように展示台部２０を備え、展示台部２０は、底板２１と、前板２２と、側板２３（片側板又は両側板）と、背板２４とにより構成されており、適宜固形状の商品Ｃ等を載置、若しくは図示しないが適宜吊下して配列展示するものであり、展示台部２０を二台以上複数台配列する場合は、垂直支柱等のスタンド手段Ｆ（脚部は省略）に取付けて支持するものである。なお、展示台Ｂは、紙製、プラスチック製、アルミニウム、ステンレス等金属製の材料を使用することができる。
【００５４】
該展示台Ｂに前述の価格等電子表示装置Ａを取付けるには、図１（ｂ）に示すように、展示台部２０の前板２２に、本発明の価格等電子表示装置Ａの背面側に備えた逆Ｕ字型の取付固定部７を嵌合係止し、価格等電子表示装置Ａを展示具Ｂに取付けるものである。
【００５５】
また図２（ａ）〜（ｂ）に示すように、商品展示具Ｂは、展示台部２０を支柱等の支持フレームＦによって上下方向に１台乃至２台以上配置して取付け支持したものであり、図２（ａ）〜（ｂ）に示すように該展示台部２０に適宜固形状の商品Ｃを載置、若しくは図示しないが適宜吊下して配列展示するものである。
【００５６】
商品展示具Ｂの展示台部２０は、図２（ａ）〜（ｂ）に示すように、底板２１と、前板２２と、側板２３（片側板又は両側板）と、背板２４とにより構成されており、展示台部２０を二台以上複数台配列する場合は、展示台部２０を垂直な支柱Ｆに取付け支持するものである。
【００５７】
該展示具Ｂに、前述の価格等電子表示装置Ａを取付けるには、図２（ｂ）に示すように、展示台部２０の前板２２に、価格等電子表示装置Ａの背面側に備えた逆Ｕ字型の取付固定部７を嵌合係止し、価格等電子表示装置Ａを展示具Ｂに取付けるものである。
【００５８】
図３（ａ）〜（ｂ）は、本発明の価格等電子表示装置Ａの背面側に備える取付固定部７の他の形態を示す側断面図であり、図３（ａ）に示すように、取付固定部７の縦後板７ｃ下端部に連続して水平方向に、展示台部２０の底板２１上面に沿うように、延設板７ｄを設けたものであり、該延設板７ｄ上に商品等が載置される。
【００５９】
また図３（ｂ）に示すように、取付固定部７の縦前板７ａの前面に一体的にブラケット９を設け、価格等電子表示装置Ａの背面に一体的に設けたブラケット８と該ブラケット９とを支軸１０によって軸支したものであり、価格等電子表示装置Ａを支軸１０を介して適宜角度に回動調整でき、価格等電子表示装置Ａの画像表示パネル３を観察し易い適宜角度に固定できるようにしたものである。
なお、前記延設部７ｄと底板２１との問に磁石（磁力）を介在させて、磁着によって両者を固定させるようにしてもよい。
【００６０】
図４は本発明の価格等電子表示装置Ａと展示具Ｂの組立図（斜視図）であり、窓孔部２が孔設された表示ケース１１の各前板１１ａ、側板１１ｂ，１１ｂ、上板１１ｃ、底板１１ｄとにより構成され、前記上板１１ｃの接続端子部３１と対向相当位置に装填用孔設部１２を孔設したカバー体と、画像表示パネル３を備えた電子画像表示装置４と、表示ケース１１の背板１１ｅ、該背板１１ｅ両側に対向する補助側板１１ｆ，１１ｆと、該背板１１ｅの背面に取付けた取付固定部７（縦前板７ａ、上板７ｂ、縦後板７ｃ）と、縦後板７ｃに連続して設けた延設板２１ｄ（展示台Ｂにおける展示台部２０の底板２１上に載置される）と、両側の側板２３，２３と、背板２４であり、前記縦後板７ｃと、延設板２１ｄと、背板２４と、両側板２３，２３とによって、展示品Ｃを載置する展示ボックスが構成されている。なお両側板２３，２３の形状は特に限定されず、また、いずれか一方の側板２３を省略することができ、また縦前板７ａと背板１１ｅとの間の接続は、前述図３（ｂ）に示したようなブラケット８，９と支軸１０とによる角度調整できる形式であってもよい。
【００６１】
前記カバー体と背板１１ｅとを、その間に電子画像表示装置４を前後から挟むようにして内装して重ね合わせ横合し、整合したそれぞれ螺子孔ａ，ｂに、螺子ｃを螺着して固定することによって展示具Ｂの展示台部２０を備えた価格等電子表示装置Ａを組立てるものである。
【００６２】
本発明においては、展示具Ｂ側の適宜部位に、電子画像表示装置４を動作させる映像・音声信号受信アンテナ６ａ相当を、展示具Ｂの各構成部材と、絶縁性を保持して配置（取付又は内装等）することが可能であり、例えば、図１（ａ）〜（ｂ）、図２（ａ）〜（ｂ）、図３（ａ）〜（ｂ）に示す展示具Ｂにおける展示台部２０の水平方向の底板２１、又は／及び垂直方向の側板２３に受信アンテナ２５（導電性材料による直線状又は円形状の線形部材）を装備するか又は図４に示すように展示台部２０の垂直な側板２３の部分領域に、該側板２３に対して絶縁性を保持した前記受信アンテナ２５を装備することは可能である。また、展示具Ｂの各底板２１、前板２２、側板２３、背板２４の各端縁部あるいはその近傍に沿って受信アンテナを設置することは可能である。
【００６３】
本発明の価格等電子表示装置Ａは、有線送信又は無線送信による映像信号又は映像・音声信号に基づき商品情報等広告表示動作する静止画像用又はテレビ画像用の電子画像表示装置４を備え、接触方式又は非接触方式のうちいずれか一方若しくは両方の方式により、前記商品情報等広告表示される商品に関する商品情報データをデータ記録媒体やデータ処理媒体を用いて入出力するデータ入出力手段３０を備えたものであり、前記小型電子画像表示装置４を受信アンテナ６によって無線送信電波による映像信号に基づき、また画像記録媒体再生部Ｄからの有線送信による映像信号や音声信号に基づき、個々の商品（又は商品群）の価格やその商品に関する情報等を画像や音声として広告表示動作をさせることができ、価格等電子表示装置Ａと、その周辺機器、例えば、カード状、テープ状、ディスク状等のデータ記録媒体や、パソコンなどのデータ処理媒体との問で、データ入出力手段３０を介して、個々の商品（又は商品群）に関する商品情報データを入出力することができる。
【００６４】
また、静止画像用又はテレビ画像用の前記小型電子画像表示装置４の前面に、画像表示パネル３用の窓孔部２を孔設し、且つ適宜広告表示５を施した表示プレート１を取付け、あるいは画像表示パネル３用の窓孔部２を孔設した表示ケース１１内に小型電子画像表示装置４を固定状態に装填し、取付固定部７を該装置４背面側に設けたものであり、前記取付固定部７にて展示具Ｂに取付固定することによって展示具として使用でき、例えば、前記小型電子画像表示装置４を受信アンテナ６によって、無線送信電波による映像信号に基づき広告表示動作させることができ、また画像記録媒体再生部Ｄからの有線送信による映像信号や音声信号に基づき広告表示動作させることができ、表示プレート１又は表示ケース１１に表示した広告表示による広告効果と、電子画像表示による広告効果とによる相乗的効果が得られ、また上記価格等電子表示装置Ａを展示具Ｂに取付けることによって、展示品の間近での電子画像による広告表示ができる。
【００６５】
また、上記小型電子画像表示装置４を備えた価格等電子表示装置Ａは、オペレーションセンター等にて適宜に表示内容（展示メニュー、商品、価格等のインフォメーション）をレイアウトし、アレンジした映像信号・音声信号用のプログラムソフトに基づいて、展示場や店内の展示台やショーケース等に設置した画像表示パネル３（及び必要に応じてスピーカー）による表示内容を制御表示することが可能となる。
【図面の簡単な説明】
【００６６】
【図１】（ａ）は本発明の価格等電子表示装置を示す斜視図、（ｂ）はその側面図。
【図２】（ａ）は本発明の価格等電子表示装置の他の実施例を示す斜視図、（ｂ）はその側面図。
【図３】（ａ）は本発明の価格等電子表示装置のその他の実施例を示す斜視図、（ｂ）はその側面図。
【図４】本発明の価格等電子表示装置及び展示具の一例における組立斜視図。
【符号の説明】
【００６７】
Ａ・・・価格等電子表示装置
Ｂ・・・商品等展示具
Ｃ・・・展示品
Ｆ・・・スタンド手段
１・・・表示プレート
２・・・窓孔部
３・・・画像表示パネル
４・・・小型電子画像表示装置
５・・・表示
６・・・映像・音声出力変換部
６ａ・・受信アンテナ
７・・・取付固定部
８，９・ブラケット
１０・・支軸
１１・・表示ケース
１２・・装填用孔設部
２０・・展示台部
２１・・底板
２２・・前板
２３・・側板
２４・・背板
２５・・受信アンテナ
３０・・入出力手段
３１・・接続端子部
【図１】
2009053693.tif 000003
【図２】
2009053693.tif 000004
【図３】
2009053693.tif 000005
【図４】
2009053693.tif 000006